(57)【要約】      （修正有）【課題】部材毎に持ち運び、現場で組立ができ、使用勝手の良好な簡易作業台を提供する。【解決手段】移動用の車輪４を備えた台盤１に支筒７を立設し、該支筒７に下端部を嵌脱自在に取付けて前記台盤１に立設する支柱２に、縦動手段によって縦動する支持材８を取付ける。該支持材に、床台１３を仕切り枠１１で取り囲んで構成した作業ステージ３を組付け手段で着脱自在に取付ける。そして、縦動手段を、支持材８に固着したブロック体１２´に内蔵して駆動手段で回転させる鎖歯車と、該鎖歯車と噛み合い、前記ブロック体１２´より導出した上端を支柱２の上端部に、下端を前記支柱２の下部に止着したチェーン１２ｃを備えたチェーンブロック装置１２で構成する。【選択図】図５
0003150244.tif 000002
【実用新案登録請求の範囲】
【請求項１】
移動用の車輪を備えた台盤に支筒を立設し、該支筒に下端部を嵌脱自在に取付けて前記台盤に立設する支柱に、縦動手段によって縦動する支持材を取付け、該支持材に、床台を仕切り枠で取り囲んで構成した作業ステージを組付け手段で着脱自在に取付けた、簡易作業台。
【請求項２】
縦動手段を、支持材に固着したブロック体に内蔵して駆動手段で回転させる鎖歯車と、該鎖歯車と噛み合い、前記ブロック体より導出した上端を支柱の上端部に、下端を前記支柱の下部に止着したチェーンを備えたチェーンブロック装置で構成した、請求項１記載の簡易作業台。
【考案の詳細な説明】
【技術分野】
【０００１】
本考案は、塗装工事や配線工事などの身の丈より少し高い位置での作業に用いる簡易作業台に関するものである。
【背景技術】
【０００２】
屋内での、身の丈より高い位置で塗装工事等を行う場合、脚立や梯子を利用するのが一般的であるが、これらは作業時に姿勢が不安定となり、落下の危険が伴う。このため、一対の支持台（脚立を利用するなどして）に板材を渡して形成した足場を利用することも考えられるが、足場形成に誤作業のおそれがあり、必ずしも万全とはいえない。
【０００３】
このため、台車に支柱を立設し、該支柱に架台を組付け、該架台をウインチ装置によって縦動させて高さ位置を決めて作業ステージとするようにした作業台が提案されている（例えば、特許文献１）。
【先行技術文献】
【特許文献】
【０００４】
【特許文献１】実開昭６４−３９３９４号公報
【考案の概要】
【考案が解決しようとする課題】
【０００５】
前記公報記載の従来例は、台車に支柱を固定的に立設し、しかも、該支柱に架台を組付け、架台を移動させるウインチ装置を架台と支柱間に介在させた構成を採り、分解、組立てのできない構造になっているので、移動作業が煩雑であり、しかも、重量が嵩むので取扱い上不便である。
【０００６】
本考案は、従来の作業台の、このような欠点に着目して、取扱い上好適な簡易作業台を提供すべく案出したものである。
【課題を解決するための手段】
【０００７】
移動用の車輪を備えた台盤に支筒を立設し、該支筒に下端部を嵌脱自在に取付けて前記台盤に立設する支柱に、縦動手段によって縦動する支持材を取付け、該支持材に、床台を仕切り枠で取り囲んで構成した作業ステージを組付け手段で着脱自在に取付けた構成を基本的手段とし、該基本的手段の縦動手段を、支持材に固着したブロック体に内蔵して駆動手段で回転させる鎖歯車と、該鎖歯車と噛み合い、前記ブロック体より導出した上端を支柱の上端部に、下端を前記支柱の下部に止着したチェーンを備えたチェーンブロック装置で構成するものである。
【考案の効果】
【０００８】
本考案によれば、支筒を備えた台盤部と、支持材を取付けた支柱部および作業ステージ部の構成部材に分割したものを互いに組み立てて得られるものであるから、前記構成部材を分割した状態で軽トラックやワンボックスカー等に搭載でき、部材毎に持ち運び、現場で組立てることができ、しかも、使用勝手の良好な、落下の危険性のない安全な簡易作業台を提供できる。また、縦動手段を前記チェーンブロック装置で構成することにより移動時の取扱いに尚一層支障がなく、しかも、使用時において作業ステージの縦動作業を容易に行える簡易作業台を提供できる。
【図面の簡単な説明】
【０００９】
【図１】一部欠截正面図。
【図２】側面図。
【図３】図２の一部拡大欠截図。
【図４】図３の横断面図。
【図５】各部材の関係を示す分解側面図。
【実施例】
【００１０】
図中、Ａは本考案に係る簡易作業台で、簡易作業台Ａは、台盤１と支柱２および作業ステージ３を互いに組付けて構成するものである。
【００１１】
台盤１は、後端側を互いに同軸で転動する一対の車輪４，４で、先端側を左右一対の脚座５，５でそれぞれ支持させたベース６の後端側中央に支筒７を立設して構成したもので、現場への持ち運び時には先端側を持ち上げて後端側の車輪４，４でベース６を支持させ、車輪４を転動させるようにして移動効率を図り、ベース６およびこれに立設した支筒７をアルミニウムで形成して軽量化を図り、移動効率を尚一層上げるようにしている。
【００１２】
支柱２は台盤ベース６と同様に軽量なアルミニウムを素材とした方形筒体で成り、下端部を台盤１のベース６上に立設した方形筒状の前記支筒７に外嵌して台盤１に組付け、ベース６上に垂直状に立設して用いるもので、この支柱２には、該支柱２と同様にアルミニウム製の方形筒体で構成した支持材８を外嵌して摺（縦）動自在に組付け、該支持材８に作業ステージ３を組付け、支持させるようにしてある。
【００１３】
支持材８は、その前面８ａの上下に鉤状の受止フック１０，１０を設けて、作業ステージ３の仕切り枠１１の横杆１１ａを掛止させるようにしてあり、該前面８ａに隣接する一側面８ｂ側には前記支持材８の縦動手段を構成するチェーンブロック装置１２のブロック体１２´を固装したものである。
【００１４】
チェーンブロック装置１２は前記ブロック体１２´にハンドチェーン１２ａの操作によって回動する鎖歯車１２ｂを装置し、該鎖歯車１２ｂに噛み合わせたチェーン（ロードチェーン）１２ｃの両端をブロック体１２´より導出し、該チェーン１２ｃの一端側である上端を前記支柱２の上端部に、他端側である下端を支柱２の下部に、支持材８の前記一側面８ｂの内面に設けた縦溝８ｂ´を通じて止着したものである。
【００１５】
チェーンブロック装置１２は、ハンドチェーン１２ａの操作により前記鎖歯車１２ｂを正、逆回転させ、該回転に従って歯車１２ｂがチェーン１２ｃに沿って上昇又は降下し、支持材８すなわち支持材８に支持させた作業ステージ３は支柱２に沿って上昇又は降下し、所要の高さ位置に設定される。
【００１６】
作業ステージ３は、床台１３と該床台１３を取り囲んだ仕切り枠１１とで構成し、格子状の仕切り枠１１の横杆１１ａを支持材８に設けた前記受止フック１０に掛止して支持材８に組付け、支持材８の移動に伴って高さ位置が決められる。
【００１７】
そして、実施例の簡易作業台Ａは、台盤１部と支持材８を組付けた支柱２部および作業ステージ３部を分解した状態で保管しておき、分解した状態で現場に持ち運び、現場において、台盤１に設けた支筒７に支柱２の下端部を外嵌して支柱２を台盤１上に立設し、該支柱２に組付けてある支持材８に設けた受止フック１０に仕切り枠１１の横杆１１ａを掛止して作業ステージ３を支柱２に組付けて構成し、作業ステージ３（床台１３）上に乗り、ハンドチェーン１２ａを操作して該ステージ３を所望の高さ位置にして、所定の作業をする作業台として用いるのである。
【００１８】
なお、実施例は、ステージ３の縦動手段をチェーンブロック装置１２で構成してあるが、該装置１２に必ずしも限定する必要はない。なお、チェーンブロック装置１２は、説明を省略してあるが、減速機構と落下防止の自動ブレーキを備えており、尚一層の安全性は確保されている。
【符号の説明】
【００１９】
１          台盤
２          支柱
３          作業ステージ
４          車輪
７          支筒
８          支持材
１１        仕切り枠
１２        チェーンブロック装置
１２´      ブロック体
１２ｂ      鎖歯車
１３        床台
【図１】
0003150244.tif 000003
【図２】
0003150244.tif 000004
【図３】
0003150244.tif 000005
【図４】
0003150244.tif 000006
【図５】
0003150244.tif 000007